【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
光源からの光を用いて画像を投射する画像投射装置であって、
該装置の内部の温度を検出する温度検出手段と、
該温度検出手段による検出温度が所定温度より高い場合に保護動作を行う制御手段とを有し、
前記制御手段は、前記装置の電源がオンされてから、又は、前記光源が点灯してからの経過時間を計測し、前記経過時間が所定時間に達する前の前記所定温度を、該所定時間に達した後よりも高く設定することを特徴とする画像投射装置。
【請求項２】
光源からの光を用いて画像を投射する画像投射装置であって、
該装置の内部の温度を検出する温度検出手段と、
該温度検出手段による検出温度が所定温度より高い場合に保護動作を行う制御手段とを有し、
前記制御手段は、前記装置の電源がオフされてから、又は、前記光源が消灯してから次に前記装置の電源がオンされるまで、又は、前記光源が点灯するまでの経過時間である第１の経過時間と、前記装置の電源がオンされてから、又は、前記光源が点灯してからの経過時間である第２の経過時間と計測し、
前記第１の経過時間が第１の所定時間に達する前は、前記第２の経過時間が第２の所定時間に達する前の前記所定温度を該第２の所定時間に達した後よりも高く設定し、
前記第１の経過時間が前記第１の所定時間に達した後は、前記第２の経過時間が前記第２の所定時間に達する前の前記所定温度を該第２の所定時間に達した後よりも低く設定することを特徴とする画像投射装置。
【請求項３】
光源からの光を用いて画像を投射する画像投射装置であって、
該装置の内部の温度を検出する温度検出手段と、
該温度検出手段による検出温度が所定温度より高い場合に保護動作を行う制御手段とを有し、
前記制御手段は、前記装置の電源がオフされてから、又は、前記光源が消灯してから次に前記装置の電源がオンされるまで、又は、前記光源が点灯するまでの経過時間を計測し、前記経過時間が所定時間に達していないときの前記所定温度を、該所定時間に達したときの前記所定温度よりも高く設定することを特徴とする画像投射装置。
【請求項４】
前記保護動作は、警告の表示、警告音の発生、光源ランプの消灯及び前記装置を冷却するのに使用されるファンの回転数増加のうち少なくとも１つを含むことを特徴とする請求項１から３のいずれか１つに記載の画像投射装置。
【手続補正２】
【補正対象書類名】明細書
【補正対象項目名】０００２
【補正方法】変更
【補正の内容】
【０００２】
画像投射装置（以下、プロジェクタという）には、光源や電源系等の発熱部品が搭載されている一方、樹脂材料で形成された光学部品や電気素子等、熱に弱い部品も多く用いられている。このため、プロジェクタは、冷却ファンにより生じさせた空気流によって発熱部品を冷却し、発熱部品から熱を奪った空気流を排気口から外部に排出する排熱（冷却）構造を有する。
【手続補正３】
【補正対象書類名】明細書
【補正対象項目名】０００９
【補正方法】変更
【補正の内容】
【０００９】
本発明の一側面としての画像投射装置は、該装置の内部の温度を検出する温度検出手段と、該温度検出手段による検出温度が所定温度より高い場合に保護動作を行う制御手段とを有する。そして、制御手段は、装置の電源がオンされてから、又は、光源が点灯してからの経過時間を計測し、経過時間が所定時間に達する前の所定温度を、該所定時間に達した後よりも高く設定することを特徴とする。
本発明の他の一側面としての画像投射装置は、該装置の内部の温度を検出する温度検出手段と、該温度検出手段による検出温度が所定温度より高い場合に保護動作を行う制御手段とを有する。そして、制御手段は、装置の電源がオフされてから、又は、光源が消灯してから次に装置の電源がオンされるまで、又は、光源が点灯するまでの経過時間である第１の経過時間と、装置の電源がオンされてから、又は、光源が点灯してからの経過時間である第２の経過時間と計測し、第１の経過時間が第１の所定時間に達する前は、第２の経過時間が第２の所定時間に達する前の所定温度を該第２の所定時間に達した後よりも高く設定し、第１の経過時間が第１の所定時間に達した後は、第２の経過時間が第２の所定時間に達する前の所定温度を該第２の所定時間に達した後よりも低く設定することを特徴とする。
【手続補正４】
【補正対象書類名】明細書
【補正対象項目名】００１０
【補正方法】変更
【補正の内容】
【００１０】
また、本発明の他の一側面としての画像投射装置は、該装置の内部の温度を検出する温度検出手段と、該温度検出手段による検出温度が所定温度より高い場合に保護動作を行う制御手段とを有する。そして、制御手段は、装置の電源がオフされてから、又は、光源が消灯してから次に装置の電源がオンされるまで、又は、光源が点灯するまでの経過時間を計測し、経過時間が所定時間に達していないときの所定温度を、該所定時間に達したときの所定温度よりも高く設定することを特徴とする。
【手続補正５】
【補正対象書類名】明細書
【補正対象項目名】００１２
【補正方法】変更
【補正の内容】
【００１２】
本発明では、プロジェクタの電源がオンされてから（光源が点灯してから）の経過時間又はプロジェクタの電源がオフされてから（光源が消灯してから）次にプロジェクタの電源がオンされるまで（光源が点灯するまで）の経過時間、すなわち光源の余熱の影響が残っているか否かに応じて保護動作を行う閾値となる所定温度を変更する。このため、本発明によれば、光源の消灯後における余熱の影響による光源の再点灯時における保護機能の誤作動や不作動を回避することができる。
【手続補正６】
【補正対象書類名】明細書
【補正対象項目名】００２３
【補正方法】変更
【補正の内容】
【００２３】
下部外装ケース２１は、ランプ１、光学ボックス６及び電源系基板８〜１０及び制御基板１１等を収納する。２２は下部外装ケース２１に光学ボックス６等を収納した状態で蓋をするための上部外装ケースである。２３は第１側板であり、第２側板２４とともに外装ケース２１，２２により形成される側面開口を閉じる。下部外装ケース２１には、上述した吸気口２１ａ，２１ｂが形成されており、第２側板２４には上述した排気口２４ａと吸気口２４ｂが形成されている。下部外装ケース２１、上部外装ケース２２、第１側板２３及び第２側板２４によって、該プロジェクタの筐体が構成される。
【手続補正７】
【補正対象書類名】明細書
【補正対象項目名】００６３
【補正方法】変更
【補正の内容】
【００６３】
そして、ダイクロイックプリズム６９に入射したＲ光とＢ光は、ダイクロイック膜面を透過して、該ダイクロイック膜面にて反射したＧ光と合成されて投射レンズ鏡筒５に至る。
【手続補正８】
【補正対象書類名】明細書
【補正対象項目名】００６４
【補正方法】変更
【補正の内容】
【００６４】
そして、合成されたＲ，Ｇ，Ｂ光は、投射レンズ鏡筒５によってスクリーンなどの被投射面に拡大投影される。
【手続補正９】
【補正対象書類名】明細書
【補正対象項目名】００７２
【補正方法】変更
【補正の内容】
【００７２】
図３中に実線矢印で示す流路Ｂでは、ランプ冷却ファン１４によって吸い込まれた筐体内の空気が、ダクト１５，１６を介して冷却風としてランプ１まで送られる。ランプ１を冷却した空気流は、排気ダクト２７に導かれ、排気ファン１８によって筐体外部に排気される。
【手続補正１０】
【補正対象書類名】明細書
【補正対象項目名】００９３
【補正方法】変更
【補正の内容】
【００９３】
プロジェクタに設けられた電源スイッチ（又はランプ点灯スイッチ）が操作されてランプ１が点灯すると、制御部３６は、内部のタイマ３６ａを動作させて、ランプ１が点灯してからの経過時間（以下、点灯後経過時間という）の計測を開始する。ここで、ランプ１の点灯（ランプ１への電圧印加）は、プロジェクタの電源オンとほとんど同じタイミングで行われる。このため、ランプ１の点灯開始時刻ｔ１は、プロジェクタの電源オン時刻と言うこともできる。
【手続補正１１】
【補正対象書類名】明細書
【補正対象項目名】０１１４
【補正方法】変更
【補正の内容】
【０１１４】
次に、ステップＳ１２では、制御部３６は、ステップＳ１１で取得及び記憶した点灯後経過時間が、第２の所定時間としての基準時間Ｔ２（第２の経過時間）に達したか否かを判別する。基準時間Ｔ２は、制御部３６内の不揮発性メモリに予め記憶されている。点灯後経過時間が基準時間Ｔ２に達していない場合は、ステップＳ１３に進み、制御部３６は、第１タイマにより計測された前回のランプ１の消灯から今回の点灯までの消灯後経過時間を取得し、内部のワークメモリに記憶する。
【手続補正１２】
【補正対象書類名】明細書
【補正対象項目名】０１１５
【補正方法】変更
【補正の内容】
【０１１５】
そして、ステップＳ１４では、制御部３６は、ステップＳ１３で取得及び記憶した消灯後経過時間が、第１の所定時間としての基準時間Ｔ１（第１の経過時間）に達したか否かを判別する。基準時間Ｔ１は、制御部３６内の不揮発性メモリに予め記憶されている。消灯後経過時間が基準時間Ｔ１に達していない場合は、ステップＳ１５に進み、制御部３６は、第２温度センサＳ２より検出された温度（センサ温度）を取得する。